(57)【要約】      （修正有）【課題】浄水器の利用によるメリットを目に見えて実感することができる浄水器を提供することにある。【解決手段】浄水器は、蛇口に取り付けられる切替コックと、その切替コックに入水ホース及び出水ホースを介して接続され、フィルタユニット４及びそのフィルタユニット４を非接触で覆うカバー２を備えた本体ベース１とを有し、切替コックの切替操作により、その蛇口に送出される水を入水ホースを介して本体１のフィルタユニット４を通過させ、出水ホースを介して切替コックに供給可能とした浄水器であって、カバー２に、フィルタユニット４とカバー２との間に形成される円筒状空間１２と通過するコイン投入口２ａを設けて、この円筒状空間１２内に貯金可能としたものである。【選択図】図２
0003135923.tif 000002
【実用新案登録請求の範囲】
【請求項１】
蛇口に取り付けられる切替コックと、その切替コックに入水ホース及び出水ホースを介して接続され、フィルタユニット及びそのフィルタユニットを非接触で覆うカバーを備えた本体とを有し、前記切替コックの切替操作により、前記蛇口に送出される水を前記入水ホースを介して前記本体のフィルタユニットを通過させ、前記出水ホースを介して前記切替コックに供給可能とした浄水器であって、
前記カバーに、前記フィルタユニットとカバーとの間に形成される空間と通過するコイン投入口を設けて、前記空間内に貯金可能としたことを特徴とする浄水器。
【請求項２】
本体を、入水ホース及び出水ホースが接続される台座部と、その台座部の上面中央に装着される円筒状のフィルタユニットと、そのフィルタユニットを上方から覆って前記台座部に嵌着される有蓋円筒状のカバーとから形成し、そのカバーの上面に、前記フィルタユニットとカバーとの間に形成される円筒状空間と連通するコイン投入口を形成したことを特徴とする請求項１に記載の浄水器。
【考案の詳細な説明】
【技術分野】
【０００１】
本考案は、水道水の浄水を行う浄水器に関するものである。
【背景技術】
【０００２】
従来からある水の浄水器としては、蛇口にユニットを設けて水道から出た水を入水ホースで浄水器に引き込み、浄水器の中で浄水された水が出水ホースからユニットを通って送り出されるものや（特許文献１）、蛇口に浄水器を直接取付けたものが知られている（特許文献２）。
【０００３】
【特許文献１】特開平１１−１７９３４５号公報
【特許文献２】実開昭６２−１１８５８７号公報
【考案の開示】
【考案が解決しようとする課題】
【０００４】
一方、一般家庭においては、上記特許文献１及び２の方法以外のものとしてペットボトルの飲料水を使用する場合が増えてきている。この場合、ペットボトルの飲料水を切らさないために、補給を常に考慮しなければならず、また、ペットボトルの飲料水では、水道水に対して割高である。よって、浄水器の普及が進み、一般家庭において使用される頻度が高くなってきている。しかしながら、浄水器を使用する場合、購入価格がペットボトルよりも大きいこともあって、浄水器を使用することで得られる割安感を実感しづらく、かえって割高な印象を消費者に対し与えてしまうことがある。
【０００５】
本考案の目的は、上記従来の浄水器が有する問題点を解消するとともに、割安感を目に見えて実感することができる浄水器を提供することにある。
【課題を解決するための手段】
【０００６】
かかる本考案の内、請求項１に記載された考案は、蛇口に取り付けられる切替コックと、その切替コックに入水ホース及び出水ホースを介して接続され、フィルタユニット及びそのフィルタユニットを非接触で覆うカバーを備えた本体とを有し、前記切替コックの切替操作により、前記蛇口に送出される水を前記入水ホースを介して前記本体のフィルタユニットを通過させ、前記出水ホースを介して前記切替コックに供給可能とした浄水器であって、
前記カバーに、前記フィルタユニットとカバーとの間に形成される空間と通過するコイン投入口を設けて、前記空間内に貯金可能としたことを特徴とするものである。
【０００７】
請求項２に記載された考案は、請求項１に記載された考案において、本体を、入水ホース及び出水ホースが接続される台座部と、その台座部の上面中央に装着される円筒状のフィルタユニットと、そのフィルタユニットを上方から覆って前記台座部に嵌着される有蓋円筒状のカバーとから形成し、そのカバーの上面に、前記フィルタユニットとカバーとの間に形成される円筒状空間と連通するコイン投入口を形成したことを特徴とするものである。
【考案の効果】
【０００８】
請求項１に記載された浄水器は、浄水器として使用するだけでなく、ペットボトルの飲料水代から浄水器の水代を差し引いた額が、フィルタユニットとカバーとの間に形成される空間に貯金可能となる。従って、カバーを取り外して貯まった貯金を確認することで、ペットボトルの飲料水を使用する場合に比べて割安であることが目に見えて実感できる。
【０００９】
請求項２に記載された浄水器は、請求項１に記載された浄水器の効果に加え、カバーとフィルタユニットとの間の円筒状空間を効果的に利用して貯金が可能である。
【考案を実施するための最良の形態】
【００１０】
以下、本考案の浄水器の一実施形態を、図面にしたがって詳細に説明する。図１は、浄水器１３の構成図であり、浄水器１３は、蛇口に取り付けられた切替コック１０と入水ホース７と、出水ホース９と、本体１とで構成されている。
【００１１】
図２は、本体１の断面図を示す。本体１は、カバー２と、水道水の入水と出水とを行う台座部３と、水道水の浄水を行う円筒状のフィルタユニット４とで構成されている。台座部３には、台座部入水口６と台座部出水口８とが並設されている。そして、入水ホース７を台座部入水口６に取り付けるとともに、台座部出水口８に出水ホース９が取り付けられる。カバー２は、フィルタユニット４を上方から覆う有蓋円筒状で、台座部３の外周凹部３ｂに嵌挿する周縁部２ｂとコイン挿入口２ａとを備えている。
【００１２】
切替コック１０は、浄水の送止を行うレバー１１と、切替コック入水口（図示せず）と、切替コック出水口（図示せず）とで構成される。入水ホース７は、他端を切替コック１０の切替コック入水口に取り付け、出水ホース９も同様に、他端を切替コック１０の切替コック出水口に取り付ける。
【００１３】
フィルタユニット４は、台座部３の中央凹部３ｃにフィルタユニット４の凸部４ｂを装着した後、フィルタユニット４を円周方向に回すことによって、フィルタユニット４の鍔部４ａが台座部３の係止部３ａで固定され、フィルタユニット４が台座部３から抜けることを防止する。そして、凸部４ｂに装着されたパッキン４ｃによって水漏れを防止する。こうして台座部３に装着されることで、フィルタユニット４とカバー２との間に円筒状空間１２が形成される。
【００１４】
上記の如く構成された浄水器１３の使用態様の一例について説明する。まず、水道水は、蛇口に取り付けられた切替コック１０によって切替コック入水口から入水ホース７、台座部入水口６へと流れ込む。そして、台座部３からフィルタユニット４へと送られた後、フィルタユニット４の内部で浄水される。その後、台座部３の台座部出水口８へと送られ、出水ホース９から切替コック出水口へと流れる。一方、カバー２のコイン挿入口２ａから円筒状空間１２内に硬貨を投入すれば、浄水器１３を利用した貯金が可能となる。
【００１５】
例えば、一日に水を２リットル使用したとする。２リットル分のペットボトルの飲料水代は、約１００円である。これに対して、２リットル分の浄水器の水を使用した場合の水代は、約５円である。従って、浄水器１３の水を使用すると、ペットボトルの飲料水代から浄水器１３の水代を差し引いた金額の水代が浮くこととなる。そして、浮いた水代と同額のコイン５を浄水器１３のコイン挿入口２ａに投入して貯金を行うことで、浄水器１３の水を使う度にその差し引いた金額が貯金額となる。
【００１６】
浄水器１３は、上記の如く、蛇口に取り付けられる切替コック１０と、その切替コック１０に入水ホース７及び出水ホース９を介して接続され、フィルタユニット４及びそのフィルタユニット４を非接触で覆うカバー２を備えた本体１とを有し、切替コック１０の切替操作により、その蛇口に送出される水を入水ホース７を介して本体１のフィルタユニット４を通過させ、出水ホース９を介して切替コック１０に供給可能とする一方、カバー２に、フィルタユニット４とカバー２との間に形成される円筒状空間１２と通過するコイン投入口２ａを設けて、この円筒状空間１２内に貯金可能としている。
その結果、浄水器１３として使用するだけでなく、ペットボトルの飲料水代から浄水器１３の水代を差し引いた額が、フィルタユニット４とカバー２との間に形成される円筒状空間１２に貯金可能となる。従って、ペットボトルの飲料水を使用する場合に比べて割安であることが目に見えて実感できる。
【００１７】
また、浄水器１３は、本体１を、入水ホース７及び出水ホース９が接続される台座部３と、その台座部３の上面中央に装着される円筒状のフィルタユニット４と、そのフィルタユニット４を上方から覆って台座部３に嵌着される有蓋円筒状のカバー２とから形成し、そのカバー２の上面に、フィルタユニット４とカバー２との間に形成される円筒状空間１２と連通するコイン投入口２ａを形成している。
その結果、円筒状空間１２を効果的に利用して貯金が可能である。
【００１８】
なお、本考案の浄水器の構成は、上記した実施の形態に何ら限定されるものではなく、本体の材質、形状、構造等の構成を、本考案の趣旨を逸脱しない範囲内で適宜変更することができる。
【００１９】
たとえば、本考案の本体１は、円筒状の形状に限定されず、多角形状等に変更しても良い。また、台座部入水口６及び台座部出水口８は、並設されているが必ずしも並設する必要はなく、個々に異なる位置に設けても良い。また、コイン投入口２ａは、複数設けても良く、コイン５が投入し易く貯金されたコイン５が出てしまわない位置であれば、必ずしもカバー２の上面に形成される必要もない。一方、カバー２を取り外した際に、コイン５がこぼれないようにカバー２の内部にフィルタユニット４と干渉しない範囲で、貯金用の空間を囲む仕切壁を設けても良い。
【図面の簡単な説明】
【００２０】
【図１】浄水器の構成図である。
【図２】本体の断面図である。
【符号の説明】
【００２１】
１・・本体、２・・カバー、３・・台座部、４・・フィルタユニット、５・・コイン、６・・台座部入水口、７・・入水ホース、８・・台座部出水口、９・・出水ホース、１０・・切替コック、１１・・レバー、１２・・円筒状空間、１３・・浄水器。
【図１】
0003135923.tif 000003
【図２】
0003135923.tif 000004